(57)【特許請求の範囲】
【請求項１】
法面と法面で囲まれた底面とから構成され、その下流エリアにある水生生物ゾーンとその上流エリアにある水質浄化ゾーンにゾーニングされている調整池であって、
水生生物ゾーンでは、調整池外から流路を介して自然水が導水されて小川が形成され、小川の周辺に植生が形成されており、
水質浄化ゾーンでは、法面に繋がる路面排水路に設けられたろ過手段を介して調整池内へ流入水が流れ込み、さらに底面に設けられた浄化水路を流入水が流通することで流入水が浄化されて浄化水が生成されるようになっており、
前記浄化水路は、石が連続的に配設されて形成された２つの列から構成されており、
前記浄化水路の下流側が水生生物ゾーンであり、
前記浄化水は水生生物ゾーンに流れ込み、該水生生物ゾーンにおいて前記小川の下流域から浄化水と小川の水が放流されるようになっている調整池。
【請求項２】
前記水質浄化ゾーンにおける前記ろ過手段は、粒径の異なる石からなる複数のろ過層が粒径の大きな石のろ過層を上側に配して形成された積層体からなり、該積層体が法面の上流側から底面に向かって階段状に配されて構成されたものである請求項１に記載の調整池。
【請求項３】
前記水生生物ゾーンにおける前記小川は下流側に向かって傾斜しており、小川の底には遮水シートが敷設してあり、該遮水シート上には小川の流れ方向に沿って間隔をおいて堰が設けてあり、これが堆砂溜まりを形成するようになっている請求項１または２に記載の調整池。
【請求項４】
前記水生生物ゾーンにおける前記小川の下流域には放流塔が設けてあり、小川と該放流塔の間に泥溜め溝が介在し、該泥溜め溝に石が敷設されており、ここが水生生物の退避場所となって放流塔へ該水生生物が放流されるのを回避できるようになっている請求項１〜３のいずれかに記載の調整池。
【発明の詳細な説明】
【技術分野】
【０００１】
本発明は、水生生物の生息環境が整備された調整池に関するものである。
【背景技術】
【０００２】
土地開発にともなう流出水量の調整を主目的として、開発域のたとえば流末には調整池が設置されるのが一般的である。
【０００３】
この調整池には、単に流出水量を調整することだけでなく、周辺の景観と連続一体的な景観を有することや、人的な保守管理に極力頼らない自立的な水辺環境を有することなどが求められている。
【０００４】
このように、周辺環境と一体となり、その地域に適した水生生物や植生が存在する調整池を、多自然型調整池と称することができる。
【０００５】
ところで、調整池は一般に谷地形を利用し、所望の貯水量を確保するべく、地山を所定勾配の法面で切土し、法面とこの法面で囲まれた底面からなる略すり鉢状を呈した形状に造成される。そして、従来の調整池においては、その周囲から様々な水質の水（汚染水を含む）や、地下水や湧水といった自然水が混在して流れ込んでおり、流れ込んできた流入水の水質を調整池内で浄化するようにしているのが一般的である。
【０００６】
しかしながら、このように様々な水質の流入水が調整池に流入していることから、その水質が不明確であり、このために、調整池内を常に水生生物の生息可能な環境とすること、あるいは、水生生物が常に生息可能なエリアを設けることが極めて困難な状況である。
【０００７】
ここで、特許文献１には、止水域の周囲に水位変動域を設け、この水位変動域に植物推移帯を設けてなる人工緑地が開示されている。より具体的には、水位変動域に流水域を接続させ、過剰の流入水を流水域に越流させて植物推移帯を限度として水位変動域の許容上限水位の制御を行うようにし、さらに流水域は、下流側と上流側とが、下流側に設けた流水貯留槽から上流側に水を送る送水手段で連絡するようになっている。
【０００８】
しかしながら、この人工緑地においても、様々な水質の流入水が止水域に流入してくることに変わりはなく、したがって、植物推移帯である水位変動域が常に水生生物の生息可能な環境となっているかは不明である。
【先行技術文献】
【特許文献】
【０００９】
【特許文献１】特開２００１−２２４２４３号公報
【発明の概要】
【発明が解決しようとする課題】
【００１０】
本発明の調整池は上記する問題に鑑みてなされたものであり、調整池内において常に水生生物の生息可能な環境エリアを保証することのできる調整池を提供することを目的としている。
【課題を解決するための手段】
【００１１】
前記目的を達成すべく、本発明による調整池は、法面と法面で囲まれた底面から構成され、その下流エリアにある水生生物ゾーンとその上流エリアにある水質浄化ゾーンにゾーニングされている調整池であって、水生生物ゾーンでは、調整池外から流路を介して自然水が導水されて小川が形成され、小川の周辺に植生が形成されており、水質浄化ゾーンでは、法面に繋がる路面排水路に設けられたろ過手段を介して調整池内へ流れ込む流入水を浄化して浄化水を生成し、底面に設けられた浄化水路で浄化水を流通させるようになっており、前記浄化水は水生生物ゾーンに流れ込み、該水生生物ゾーンにおいて前記小川の下流域から浄化水と小川の水が放流されるようになっているものである。
【００１２】
本発明の調整池は、下流エリアにある水生生物ゾーンと上流エリアにある水質浄化ゾーンにゾーニングされていることをその特徴の一つとしており、水質浄化ゾーンでは汚染水や自然水等の混在した流入水を浄化して浄化水とし、この浄化水を水生生物ゾーンに流れ込ませるものである。
【００１３】
また、水生生物ゾーンにおいては、調整池外から流路を介して自然水が導水され、この自然水によって小川が形成されている。
【００１４】
ここで、「自然水」とは、湧水や地下水、伏流水（雨水が地表から吸収され、地中でろ過されて調整池の法面や斜面から染み出た水）などを含むものである。
【００１５】
この自然水を流路（導管やＵ字溝（蓋付きを含む）など）を介して導いて小川を形成することにより、降雨がなく、調整池への流入水の流入がない場合でも小川が枯れることがないようにでき、その周辺の水辺に生息する植生を維持することができる。また、自然水を導入することで小川の流れを滞らすことがないため、その水質浄化を図ることができるし、水生生物による水質浄化をも期待することができる。さらには、その地域の自然水を導入することで、その地域に固有の水生生物が水辺に繁茂し易い。
【００１６】
また、調整池を構成する底面には、その上流エリアから下流エリアに向かって勾配が設けてあり、さらに、下流エリアにおいても、その上流側から下流側に向かって勾配が設けてある。したがって、法面に繋がる路面排水路に設けられたろ過手段を介して調整池内へ流れ込んだ流入水が浄化されてできた浄化水は、水質浄化ゾーンにおける底面に設けられた浄化水路を流通した後、下流エリアにある水生生物ゾーンに向かって底面の勾配に沿うようにして自然に流れ込むことができる。一方、水生生物ゾーンに形成されている小川も、その上流側から下流側に向かって勾配に沿うようにして流れることができる。
【００１７】
このように、水生生物ゾーンには、自然水が流れてできた小川と、ここに流れ込んでくる水質浄化ゾーンにて浄化されてできた浄化水が存在することから、調整池内において、常に水生生物の生息可能な環境エリアが存在するのを保証することができる。
【００１８】
また、法面は可能な限り緑化を図るのが好ましく、現地発生表土（シードバンク）や陸生植物（チガヤ等）を活用し、周辺環境と調和した植生帯を形成しておくのがよい。
【００１９】
また、調整池外周の自然水を導水して小川を形成し、これと浄化水を小川の下流域から放流先の河川等へ放流することで、その地域の水循環の一部を形成することができる。
【００２０】
ここで、前記水質浄化ゾーンにおける前記ろ過手段として、粒径の異なる石からなる複数のろ過層が粒径の大きな石のろ過層を上側に配して形成された積層体が、法面の上流側から底面に向かって階段状に配されて構成された形態を挙げることができる。
【００２１】
ろ過手段としては、たとえば礫層とその下の砂層の２層構造のものや、割栗石を収容した布団かご（層）とその下の礫層とその下の砂層の３層構造のものなどを挙げることができる。
【００２２】
流入水がたとえば布団かご、礫層、砂層を順に流れる過程で流入水中に存在する油分の除去を図ることができる（微生物による油分の分解や、砕石や砂への油分の吸着）。また、布団かごに乾燥に強い現地在来の樹木を移植してもよい。
【００２３】
法面の法肩から調整池の底面に亘る路面排水路に複数の積層体が階段状に設けられていることで、流入水は各積層体を流通する過程で徐々に浄化されて浄化水を生成し、さらには、流通過程で受ける抵抗によって浄化水の流速が格段に低減されて調整池の底面に至る。
【００２４】
また、前記水質浄化ゾーンにおける前記底面に設けられた前記浄化水路として、石を連続的に配設して形成された２つの列からなる形態を挙げることができる。
【００２５】
石が並んだ２つの列を１組としてこれを複数組設けたり（したがって、水質浄化ゾーンの底面には複数の浄化水路が存在する）、あるいは、石が並んだ２つの列を直線状や湾曲状に延設させて水質浄化ゾーンの底面に蛇行するように設けることができる。
【００２６】
流入水が路面排水路に設けられたろ過手段を流れる過程で浄化され、水質浄化ゾーンの底面に到達した際には浄化水となっているが、水質浄化ゾーンの底面の浄化水路を流れる過程で、浄化水の浄化は一層促進されて水生生物ゾーンに流れ込むことになる。
【００２７】
また、前記水生生物ゾーンにおける前記小川は下流側に向かって傾斜しており、小川の底には遮水シートが敷設してあり、該遮水シート上には小川の流れ方向に沿って間隔をおいて堰が設けてあり、これが堆砂溜まりを形成するようになっているのが好ましい。
【００２８】
小川の底に遮水シートを設けることでその流れを促進でき、傾斜した小川の底に間隔を置いて矢板等で堰を設けておくことで、小川が流れるにつれて堰の上流側に堆砂溜まりができ、この堆砂溜まりを除去することで小川底に溜まる堆砂の除去効率が格段に向上する。
【００２９】
また、小川は、たとえば現地発生土を利用した植生土嚢を小川の両側に配してその形状を維持することもできるし、小川側面の法尻からH.W.L（ハイウォーターレベル）にかけて浸食防止用の張石を配してもよい。
【００３０】
また、小川の線形は、その流れがたとえば0.5cm/sec程度の緩やかな流れとなるような縦断勾配、および平面線形であるのが好ましく、瀬や溜まり、州、緩流域を形成するべく、5〜20cm程度の角礫を転石状の骨格として配してもよい。
【００３１】
さらに、前記水生生物ゾーンにおける前記小川の下流域には放流塔が設けてあり、小川と該放流塔の間に泥溜め溝が介在し、該泥溜め溝に石が敷設されており、ここが水生生物の退避場所となって放流塔へ放流されるのを回避できるようになっているのが好ましい。
【００３２】
この形態によれば、放流塔への流量が増加した場合でも、水生生物が小川から流出するのを解消することができる。
【発明の効果】
【００３３】
以上の説明から理解できるように、本発明の調整池によれば、調整池が法面と法面で囲まれた底面から構成され、その下流エリアにある水生生物ゾーンとその上流エリアにある水質浄化ゾーンにゾーニングされており、水生生物ゾーンでは調整池外から流路を介して自然水が導水されて小川が形成され、水質浄化ゾーンでは法面に繋がる路面排水路に設けられたろ過手段を介して調整池内へ流れ込む流入水を浄化して浄化水を生成し、底面に設けられた浄化水路で浄化水を流通させるようになっていることで、少なくとも水生生物ゾーンを調整池内において常に水生生物の生息可能な環境場所として保証することができる。また、このことにより、人の管理に極力頼ることなく、小川の周囲の水辺環境を自立的に保全することができる。さらに、自然水を導水して小川を形成し、この小川と水質浄化ゾーンで浄化された浄化水を小川の下流域から放流することにより、その地域の水循環の一部を形成でき、もって地域環境に調和した調整池となる。
【図面の簡単な説明】
【００３４】
【図１】調整池の平面図である。
【図２】図１のII−II矢視図であって、水質浄化ゾーンにおける路面排水路とその上方に設けられたろ過手段を縦断面的に見た図である。
【図３】図１のIII−III矢視図であって、水質浄化ゾーンにおける底面に設けられた浄化水路を縦断面的に見た図である。
【図４】図１のIV−IV矢視図であって、水質浄化ゾーンにおける法面から浄化水路までを縦断面的に見た図である。
【図５】図１のV−V矢視図であって、水生生物ゾーンにおける流路から小川、さらには小川の下流域にある放流塔までを縦断面的に見た図である。
【図６】図１のVI−VI矢視図であって、水生生物ゾーンにおける法面から小川およびその水辺までを縦断面的に見た図である。
【発明を実施するための形態】
【００３５】
以下、図面を参照して本発明の調整池の実施の形態を説明する。なお、調整池のゾーニング形態や路面排水路、ろ過手段、浄化水路等の形態は図示例に何等限定されるものでない。
【００３６】
（調整池の実施の形態）
図１は調整池の平面図である。また、図２〜図６はそれぞれ、図１におけるII−II矢視図、III−III矢視図、IV−IV矢視図、V−V矢視図およびVI−VI矢視図である。
【００３７】
図１で示す調整池１００は、谷地形を利用し、所望の貯水量を確保するべく、地山を所定勾配の法面Ｎで切土し、法面Ｎとこの法面Ｎで囲まれた底面Ｔからなる、略すり鉢状を呈している。
【００３８】
法面Ｎの上には場内道路Ｒが設けられ、その途中には調整池１００内にアクセス可能に下り勾配の場内道路Ｒが設けられている。
【００３９】
調整池１００は、その下流エリアに水生生物ゾーンＡが設けられ、その上流エリアに水質浄化ゾーンＢが設けられて２つのエリアにゾーニングされている。なお、上流の水質浄化ゾーンＢから下流の水生生物ゾーンＡに向かって下り勾配で底面Ｔが造成されており、さらに、水生生物ゾーンＡにおいては、流路１から小川２の下流域に向かって下り勾配で底面Ｔが造成されている。ここで、流路１は導管やＵ字溝（蓋付きを含む）などから形成できる。
【００４０】
調整池１００の場外には湧水等の自然水や、雨水、汚染水といった様々な水を収集する集水枡１０が配され、この集水枡１０に繋がる導水路１１が水質浄化ゾーンＢの端にある路面排水路５に通じている。
【００４１】
路面排水路５上にはろ過手段６が設けてあり、導水路１１から提供された流入水はろ過手段６を流通する過程（Ｘ１方向）で浄化され、水質浄化ゾーンＢの底面Ｔに送られる。
【００４２】
水質浄化ゾーンＢの底面Ｔには、石７を連続的に敷き並べて２列の流路を形成し、この２つの石の列の間に浄化水路８が形成されている。
【００４３】
流入水がろ過手段６を経て浄化されてできた浄化水は、この浄化水路８を流通し（Ｘ２方向）、最後には、底面Ｔの下り勾配によって水生生物ゾーンＡに緩やかに流れ込むようになっている（Ｘ３方向）。
【００４４】
（水質浄化ゾーンＢの詳細な説明）
次に、図２〜４を参照して、水質浄化ゾーンＢをより詳細に説明する。
【００４５】
図２は、１のII−II矢視図であって、水質浄化ゾーンＢにおける路面排水路５とその上方に設けられたろ過手段６を縦断面的に見た図である。
【００４６】
同図で示すように、路面排水路５上に形成されているろ過手段６は、上から順に割栗石入り布団かご６ａ、砕石層６ｂおよび砂層６ｃが積層してなる３層構造の積層体６ｄが、路面排水路５の下り勾配に沿って階段状に配されて構成されたものである。
【００４７】
導水路１１から提供された流入水は、各積層体６ｄを上から下へ流れる過程（Ｘ１方向）で、微生物による油分の分解や、砕石や砂への油分の吸着により、流入水中に存在する油分の除去が図られて浄化される。
【００４８】
各積層体６ｄを流通する過程で流入水の浄化が進み、流入水は浄化水となって水質浄化ゾーンＢの底面Ｔに送られる。
【００４９】
図３は、図１のIII−III矢視図であって、水質浄化ゾーンＢにおける底面Ｔに設けられた浄化水路８を縦断面的に見た図である。
【００５０】
底面Ｔの上に現地発生土Ｇを50cm程度の厚みで敷き、この現地発生土Ｇの上に石７を連続的に並べて列を構成し、これを間隔を置いて２列形成し、この間隔に布団かご８ａを連続的に敷設して浄化水路８を形成する。なお、底面Ｔと現地発生土Ｇの間に遮水性シートを敷設してもよい。
【００５１】
ここで、布団かご８ａには、乾燥に強い現地の在来樹木８ｂが移植され、その両サイドにはたとえばヨシ８ｃが移植されている。
【００５２】
図示するように浄化水路８が２列の石の列で包囲されていることで、所望の流路が確保でき、また、流路内全域でヨシが必要以上に繁茂するのが防止できる。
【００５３】
図４は、図１のIV−IV矢視図であって、水質浄化ゾーンにおける法面から浄化水路までを縦断面的に見た図である。
【００５４】
調整池１００の法面Ｎは可能な限り法面緑化が図られている。この法面Ｎの緑化に際しては、現地発生土（シードバンク）や陸生植物のチガヤを活用し、周辺環境と調和した植生帯が形成されている。
【００５５】
法面Ｎの法尻部には、たとえばトウキョウサンショウウオが生息して産卵できるように深み９が設けられ、また、浸食防止を目的として法尻のH.W.Lまで張石１２が敷設されている。
【００５６】
また、法面Ｎの法肩から現地の雑木林にかけては、たとえばトウキョウサンショウウオの生息地に繁茂するクヌギ、コナラ、サクラ、カエデ、エゴなどが移植されている。
【００５７】
また、少なくとも深み９の底には、水枯れ防止を目的として遮水性シート１３が敷設されている。
【００５８】
（水生生物ゾーンＡの詳細な説明）
次に、図５，６を参照して、水生生物ゾーンＡをより詳細に説明する。
【００５９】
図５は、図１のV−V矢視図であって、水生生物ゾーンにおける流路から小川、さらには小川の下流域にある放流塔までを縦断面的に見た図である。また、図６は、図１のVI−VI矢視図であって、水生生物ゾーンにおける法面から小川およびその水辺までを縦断面的に見た図である。
【００６０】
水生生物ゾーンＡにおいては、調整池１００の場外から流路１を介して自然水（湧水や地下水、伏流水）が導水され、この自然水によって小川２が形成され、その周囲に水辺３が形成されている。
【００６１】
この自然水を流路１を介して調製池１００内に導いて小川２を形成することにより、降雨がなく、調整池１００への流入水の流入がない場合でも小川２が枯れることがないようにでき、その周辺の水辺３に生息する植生を維持することができる。また、自然水を導入することで小川２の流れを滞らすことがないため、その水質浄化を図ることができるし、水生生物による水質浄化をも期待することができる。さらには、その地域の自然水を導入することで、その地域に固有の水生生物が水辺に繁茂し易い。
【００６２】
小川２は、上流側がたとえば5%の勾配、下流側がたとえば2%の勾配を有しており、その下流域で放流塔４が設けられている。このような小川２の勾配は、50cm/sec程度の緩やかな流れを確保するための勾配である。
【００６３】
底面Ｔの上に遮水性シートが敷設され、その上に現地発生土Ｇが敷かれており、この現地発生土Ｇの上方に溝が設けられ、この溝が小川２を形成している。また、小川２の両側には植生土嚢１５が敷設され、小川２の形状が維持されている。なお、図示を省略するが、小川２にはワンド（湾処）や瀬を設けるのもよい。
【００６４】
また、小川２の底には、小川の流れ方向に沿って間隔をおいて矢板からなる堰１４が設けてあり、これが堆砂溜まりＤを形成するようになっている。このように堰１４の上流側に堆砂溜まりＤができるようにしておくことで、この堆砂溜まりＤを除去することによって小川２の底に溜まる堆砂の除去効率が格段に向上する。
【００６５】
また、水生生物ゾーンＡにおいても、法面Ｎはできる限り法面緑化が図られており、浸食防止を目的として法尻のH.W.Lまで張石１２が敷設されている。
【００６６】
小川２の周囲の水辺３には、チガヤやヤナギなどが移植されており、その他の場所でも、現地発生土や陸生植物のチガヤを活用し、周辺環境と調和した植生帯が形成されている。
【００６７】
小川２の下流域には放流塔４が設けてあり、この放流塔４に小川２の水や浄化水が放流され、ここに放流された水は調整池１００の場外の河川ＲＶに放流されるようになっている。
【００６８】
小川２と放流塔４の間には泥溜め溝１７が設けられており、この泥溜め溝１７には礫１８が敷設されている。このような構成により、泥溜め溝１７内にある礫１８が水生生物（小川２に放流されたタナゴ類や二枚貝など）の退避場所となり、放流塔４へ水生生物が放流されるのが回避できる。したがって、放流塔へ放流される流量が増加した場合でも、水生生物が小川から流出するのを解消することができる。
【００６９】
図示する調整池１００によれば、該調整池１００がその下流エリアにある水生生物ゾーンＡとその上流エリアにある水質浄化ゾーンＢにゾーニングされ、水生生物ゾーンＡでは調整池１００の場外から流路１を介して自然水が導水されて小川２が形成され、水質浄化ゾーンＢでは法面Ｎに繋がる路面排水路５に設けられたろ過手段６を介して調整池１００内へ流れ込む流入水を浄化して浄化水を生成し、底面Ｔに設けられた浄化水路８で浄化水を流通させるようになっていることで、水生生物ゾーンＡを調整池１００内において常に水生生物の生息可能な環境場所として保証することができる。
【００７０】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００７１】
１…流路、２…小川、３…水辺、４…放流塔、５…路面排水路、６…ろ過手段、６ａ…割栗石入り布団かご、６ｂ…砕石層、６ｃ…砂層、６ｄ…積層体、７…石、８…浄化水路、８ａ…布団かご、８ｂ…在来樹木、８ｃ…ヨシ、９…深み、１０…集水枡、１１…導水路、１２…張石、１３…遮水シート、１４…堰（矢板）、１５…植生土嚢、１６…礫（石）、１７…泥溜め、１８…礫（石）、１００…調整池、Ｇ…現地発生土、Ｄ…堆砂溜まり、Ｎ…法面、Ｔ…底面、Ｒ…場内道路、ＲＶ…河川
【図１】
0005860317.tif 000002
【図２】
0005860317.tif 000003
【図３】
0005860317.tif 000004
【図４】
0005860317.tif 000005
【図５】
0005860317.tif 000006
【図６】
0005860317.tif 000007